(57)【要約】【課題】軽い操作力で開閉操作が行えると共に十分な避難路を確保すること。【解決手段】案内レール３、４に左右端縁部を係合してなるシャッターシート１と、巻取装置２と、シャッターシート１の閉状態で、巻取装置２下部にて、シャッターシート１を略水平方向に分離可能に係合する上側分割芯材１３ａ及び下側分割芯材１３ｂと、案内レール３と壁端ＷＬとを略水平方向に回動可能に支持するヒンジ部材５とを備え、案内レール３及び４、下側分割芯材１３ｂ及びその下部分を開き戸として、ヒンジ部材５回りに回動可能に構成した。矢印Ａのように前記開き戸を開き、矢印Ｂの方向に避難するため、十分な避難路Ｓを確保できる。また、避難者が開き戸の重量を手で支える必要がない。【選択図】        図３
2004190322.tif 000002
【特許請求の範囲】
【請求項１】
通路又は出入り口開口の左右端近傍に略垂直に配設された一対の対向案内レールと、
前記一対の対向案内レールに左右端縁部を係合するスラット又はシャッターシートと、
前記一対の対向案内レールの上方に配設されると共に前記一対の対向案内レールと固定され、前記スラット又はシャッターシートの巻き取り・繰り出しを行い、前記スラット又はシャッターシートを前記一対の対向案内レールに沿って昇降させる巻取ローラーを内蔵する巻取装置と、
前記一対の対向案内レールのいずれか一方及びその上方の巻取装置の少なくともどちらかとその近傍の前記開口端との間に配設された、略鉛直の回動軸を有するヒンジ部材とを備え、
前記一対の対向案内レール、前記スラット又はシャッターシート及び前記巻取装置からなる開き戸を構成してなる非常口付シャッター。
【請求項２】
通路又は出入り口開口の左右端近傍に略垂直に配設された一対の対向案内レールと、
前記一対の対向案内レールに左右端縁部を係合するスラット又はシャッターシートと、
前記一対の対向案内レールの上方に配設され、前記スラット又はシャッターシートの巻き取り・繰り出しを行い、前記スラット又はシャッターシートを前記一対の対向案内レールに沿って昇降させる巻取ローラーを内蔵する巻取装置と、
前記スラット又はシャッターシートが閉じた状態で、前記通路又は出入り口開口の上部にて、前記スラット又はシャッターシートを略水平方向に分離可能に係合する上側分割芯材及び下側分割芯材と、
前記一対の対向案内レールのいずれか一方とその近傍の前記開口端との間に配設された、略鉛直の回動軸を有するヒンジ部材とを備え、
前記一対の対向案内レール、前記下側分割芯材及び前記スラット又はシャッターシートの前記下側分割芯材の下部分からなる開き戸を構成してなる非常口付シャッター。
【請求項３】
開き戸の閉時にラッチが動作して前記開き戸の閉状態を維持するラッチ機構と、非常時に前記ラッチを解除して前記開き戸を開く操作手段とを備えてなる請求項１又は２記載の非常口付シャッター。
【請求項４】
スラット又はシャッターシートの下部に芯材を設け、前記スラット又はシャッターシートが閉じた状態で、一対の対向案内レールと前記芯材とを連結するラッチ機構を備えてなる請求項１又は２記載の非常口付シャッター。
【請求項５】
スラット又はシャッターシートが閉じた状態で、一対の対向案内レールと下側分割芯材とを連結するラッチ機構を備えてなる請求項２記載の非常口付シャッター。
【請求項６】
シャッターシートの巻き取り時に上側分割芯材及び下側分割芯材が巻取ローラーの外周面から突出しないように、前記巻取ローラーに切り欠き部を形成してなる請求項２記載の非常口付シャッター。
【請求項７】
開き戸が閉じた状態で当接する戸当たりを備え、前記開き戸及び戸当たり間に可撓性のシール部材を配設してなる請求項１〜６のいずれかに記載の非常口付シャッター。
【発明の詳細な説明】
【０００１】
【発明の属する技術分野】
本発明は、通路又は出入り口に設けられた一対の対向案内レールに沿ってスラット又はシャッターシートが昇降する構造のシャッターにおいて、非常時における避難用の非常口を備えてなる非常口付シャッターに関するものである。
【０００２】
【従来の技術】
従来の通路又は出入り口に設けられた一対の対向案内レールに沿ってスラット又はシャッターシートが昇降する構造の非常口付シャターとして、鋼製シャッターのスラットが係合するガイドレールを室内側部材と室外側部材とに分割し、非常時には前記室外側部材による前記スラットの拘束を解いて、前記スラットを押し開いて避難するもの（例えば、特許文献１参照。）、シャッターシートの一部にドア部を形成し、非常時には操作部材及び操作力伝達部材によりラッチを後退させて開錠し前記ドア部から避難するもの（例えば、特許文献２参照。）、シャッターシートの中央部に垂直のスリットを設け、前記シャッターシートを前記スリット部で互いに重ね合わせると共に下端にウェイトバーを設け、このウェイトバーの前記スリット部対向端に永久磁石を設け、非常時には前記スリット部を開いて避難するもの（例えば、特許文献３参照。）等がある。
【０００３】
また、本願特許出願人が出願中の非常口付シャッターとして、左右の案内レールとシャッターシート等遮蔽部分の略全体を人がくぐり抜け可能な高さまで跳ね上げて手で支えながら通過し、避難するもの（以下「前方跳ね上げ方式」という。特願２００２−１２８２６３号参照。）、左右の案内レールのいずれか一方の上端寄りの適宜の点とシャッターシート下端のウェイト部材の幅方向の適宜の中間点との２点を斜めに結ぶ直線を中心として人がくぐり抜け可能なくぐり戸を構成し、跳ね上げて手で支えながら通過し、避難するもの（以下「斜方跳ね上げ方式」という。特願２００２−２７２４８６号参照。）がある。
【０００４】
【特許文献１】特開平９−２１７５６８号公報（図４）
【特許文献２】特開２０００−２９７５７２号公報（図１−４）
【特許文献３】特許第３０８５２００号公報（図４）
【０００５】
【発明が解決しようとする課題】
従来の一対の対向案内レールに沿ってスラットが昇降する非常口付シャッターにおいては、非常時におけるスラットの押し開きに必要な操作力が大きく、また、車椅子等に必要な開放面積が得られないため、老人、子供、負傷者又は車椅子の身体障害者等においては、非常時の避難が困難であるという問題点があった。
【０００６】
また、従来の一対の対向案内レールに沿ってシャッターシートが昇降する、シャッターシートの一部にドア部又は垂直スリット部を形成する方式（以下「スリット部開閉方式」という。）の非常口付シャッターにおいては、シャッターシートは巻取装置により巻き取り・繰り出しが可能である必要があり、したがって、シャッターシートの一部に形成されたドア部又はスリット部も巻取装置により巻き取り及び繰り出しが可能である必要があるため、ラッチ等はシャッターシートの下部にしか配設することができない。このような構成上の制約により、前記スリット部開閉方式の非常口付シャッターにおいては、特に建物の火災時等における避難設備として使用した場合に、非常口を開けない状態においても風圧等によりシャッターシートに形成したスリット部の隙間から煙やガス等が避難路側へ漏洩するという問題点があった。
【０００７】
前記前方跳ね上げ方式及び斜方跳ね上げ方式の非常口付シャッターは、前記スリット部開閉方式の非常口付シャッターの問題点を解決できるという特徴を有するものである。しかし、前記前方跳ね上げ方式及び斜方跳ね上げ方式の非常口付シャッターは、跳ね上げ部材の重量が重い場合に、老人、子供、負傷者又は車椅子の身体障害者等の避難が困難となる場合がありえる。また、前記斜方跳ね上げ方式においては、三角形のくぐり戸を構成してなるため、その構成上、避難者が多い場合等において、避難に十分な非常口通路が確保できない場合がありえる。
【０００８】
前述の状況に鑑み本発明が解決しようとするところは、避難時に跳ね上げ部材の重量を手で支える必要がなく軽い操作力で開閉操作が行えると共に避難に十分な非常口通路を確保でき、したがって老人、子供、負傷者又は車椅子の身体障害者等でも容易に避難可能な非常口付シャッターを提供することにある。また、本発明の他の課題は、建物の火災時等における避難設備として使用した場合において、当該シャッターの遮炎・遮煙性能を向上することができる非常口付シャッターを提供することにある。
【０００９】
【課題を解決するための手段】
本発明は、前述の課題解決のため、通路又は出入り口開口の左右端近傍に略垂直に配設された一対の対向案内レールと、前記一対の対向案内レールに左右端縁部を係合するスラット又はシャッターシートと、前記一対の対向案内レールの上方に配設されると共に前記一対の対向案内レールと固定され、前記スラット又はシャッターシートの巻き取り・繰り出しを行い、前記スラット又はシャッターシートを前記一対の対向案内レールに沿って昇降させる巻取ローラーを内蔵する巻取装置と、前記一対の対向案内レールのいずれか一方及びその上方の巻取装置の少なくともどちらかとその近傍の前記開口端との間に配設された、略鉛直の回動軸を有するヒンジ部材とを備え、前記一対の対向案内レール、前記スラット又はシャッターシート及び前記巻取装置からなる開き戸を構成してなるものである。
【００１０】
また、本発明は、通路又は出入り口開口の左右端近傍に略垂直に配設された一対の対向案内レールと、前記一対の対向案内レールに左右端縁部を係合するスラット又はシャッターシートと、前記一対の対向案内レールの上方に配設され、前記スラット又はシャッターシートの巻き取り・繰り出しを行い、前記スラット又はシャッターシートを前記一対の対向案内レールに沿って昇降させる巻取ローラーを内蔵する巻取装置と、前記スラット又はシャッターシートが閉じた状態で、前記通路又は出入り口開口の上部にて、前記スラット又はシャッターシートを略水平方向に分離可能に係合する上側分割芯材及び下側分割芯材と、前記一対の対向案内レールのいずれか一方とその近傍の前記開口端との間に配設された、略鉛直の回動軸を有するヒンジ部材とを備え、前記一対の対向案内レール、前記下側分割芯材及び前記スラット又はシャッターシートの前記下側分割芯材の下部分からなる開き戸を構成してなるものである。
【００１１】
ここで、前記開き戸の閉時にラッチが動作して前記開き戸の閉状態を維持するラッチ機構と、非常時に前記ラッチを解除して前記開き戸を開く操作手段とを備えると好ましい。
【００１２】
また、前記スラット又はシャッターシートの下部に芯材を設け、前記スラット又はシャッターシートが閉じた状態で、前記一対の対向案内レールと前記芯材とを連結するラッチ機構を備えると好ましい。
【００１３】
また、前記スラット又はシャッターシートが閉じた状態で、前記一対の対向案内レールと前記下側分割芯材とを連結するラッチ機構を備えると好ましい。
【００１４】
また、前記シャッターシートの巻き取り時に前記上側分割芯材及び下側分割芯材が前記巻取ローラーの外周面から突出しないように、前記巻取ローラーに切り欠き部を形成すると好ましい。
【００１５】
また、前記開き戸が閉じた状態で当接する戸当たりを備え、前記開き戸及び戸当たり間に可撓性のシール部材を配設すると好ましい。
【００１６】
【発明の実施の形態】
実施の形態１．
図１は、本発明の実施の形態１に係る非常口付シャッターの概念図であり、一対の対向案内レールに沿ってシャッターシートが昇降する構造の非常口付シャッターの例を示している。また、図１の（ａ）は正面図、（ｂ）は平面図であり、図において、１０１は本発明の実施の形態１に係る非常口付シャッター、ＷＬ、ＷＲは側壁、ＣＬは天井面、ＦＬは床面、Ｓは通路（避難路）である。また、１はシャッターシート、２は天井面ＣＬ近傍に配設された、シャッターシート１の巻き取り・繰り出しを行う巻取装置、３及び４は、各々、巻取装置２下方に配設され、床面ＦＬ近傍から巻取装置２まで側壁ＷＬ及びＷＲ近傍に略鉛直に配設された一対の対向案内レール、５は側壁ＷＬの壁端と案内レール３との間に配設された、略鉛直の回動軸を有するヒンジ部材、６はウェイト部材である。巻取装置２には、シャッターシート１の巻き取り・繰り出しを行う巻取ローラー及びこの巻取ローラーを駆動するモータ及び伝達機構等からなる駆動機構が内蔵されており、下部にシャッターシート１を通す開口が形成されている。また、巻取装置２と一対の対向案内レール３及び４とは固定されている。なお、巻取装置２は、前記駆動機構を有しないもの、すなわち手動によりシャッターシート１の巻き取り・繰り出しを行うものであってもよい。あるいは、巻取装置２は、シャッターシート１の巻き取りのみを自動で行い、シャッターシート１の繰り出しはシャッターシート１の自重により行うものであってもよい。
【００１７】
ヒンジ部材５は、側壁ＷＬの壁端と巻取装置２との間に配設してもよい。また、ヒンジ部材５は、側壁ＷＬの壁端ではなく、側壁ＷＲの壁端と案内レール４及び巻取装置２の少なくともどちらかとの間に配設してもよい。さらに、ヒンジ部材５は、図１のような蝶番ではなく吊軸等としてもよい。
【００１８】
図１において、巻取装置２と一対の対向案内レール３及び４とにより三方枠が形成されており、シャッターシート１が閉じた状態で、シャッターシート１、巻取装置２、左右の案内レール３及び４等非常口付シャッター１０１の略全体がヒンジ部材５、５の略鉛直の回動軸を中心として回動し、開き戸として開閉する構成となっている。
【００１９】
非常時において、シャッターシート１が図１（ａ）のように閉じている場合、避難者は、非常口付シャッター１０１を図１（ｂ）の矢印Ａのように開いて、避難に必要なスペースを確保し、矢印Ｂの方向に避難する。このように、非常口付シャッター１０１の略全体が開き戸として開閉するため、避難に十分な通路（避難路）Ｓを確保することができる。すなわち、例えばエレベーターの乗り場戸のような狭いスペースにおいても、有効開口に近い開口を持つ非常口付シャッターを設置することができる。また、略鉛直の回動軸を持つヒンジ部材５、５が該開き戸の重量を支持するため、避難者が重量を手で支える必要がなく軽い操作力で開閉操作を行うことができる。
【００２０】
なお、一対の対向案内レールに沿ってスラットが昇降する非常口付シャッターにおいても、図１と同様の構成が採用できる。
【００２１】
以下において、本発明の実施の形態１の概念として示した図１の各部の構成について詳細に説明する。
【００２２】
図２は、一対の対向案内レール及びシャッターシートの構造並びに開き戸の開閉機構の例を示す水平断面図であり、図１と同一符号は同一又は相当部分を示している。図２において、１ａは対向案内レール３、４内部の空間間に亘る横幅と、巻取装置２から床面ＦＬまで届く長さとを有するシート体、１ｂはシート体１ａの両端縁部、１ｃは両端縁部１ｂ、１ｂに沿って全長に亘りその表裏に重ねて配設され、且つ、外側端縁をシート体１ａの端縁部１ｂに対し縫着にて密着した計４片の帯状部材、１ｄは端縁縫着部、１ｅは遊端部、３ａ及び４ａはそれぞれ案内レール３及び４の開口部、３ｂ及び４ｂはそれぞれ案内レール３及び４の対向傾斜壁、７及び８は戸当たり、９は適宜の高さに設けられた開き戸の開閉機構、１０は水平方向に進出付勢されたラッチ具、１１はノブ又はレバー等のラッチ具を後退させる操作手段、１２は戸当たり８に形成されたラッチ用受け座である。ラッチ具１０及び操作手段１１は案内レール４に取り付けられおり、ラッチ具１０及びラッチ用受け座１２がラッチ機構を構成し、このラッチ機構と操作手段１１により開き戸の開閉機構９が構成される。
【００２３】
シャッターシート１は、左右端の端縁縫着部１ｄ、１ｄを案内レール３、４の開口部３ａ、４ａにそれぞれ挿入し、帯状部材１ｃ、１ｃの内側端即ち遊端部１ｅ、１ｅがシート体１ａから開くようにして、シート体１ａと対面する面を案内レール３、４の対向傾斜壁３ｂ、４ｂの裏面にそれぞれ当接させる。これによって、シャッターシート１の各端縁部１ｂそれぞれの帯状部材１ｃ、１ｃが、案内レール３（４）の対向傾斜壁３ｂ、３ｂ（４ｂ、４ｂ）の裏面に接して煙やガス等の通過を遮るとともに、案内レール３（４）の対向傾斜壁３ｂ、３ｂ（４ｂ、４ｂ）先端が帯状部材１ｃの端縁縫着部１ｄと対峙して、シャッターシート１が案内レール３（４）から抜け出さず、且つ、案内レール３、４内部の空間に沿って昇降可能に支持される。
【００２４】
また、前記開き戸が閉じた状態（図２の状態）で、前記開き戸を構成する左右の案内レール３及び４はそれぞれ戸当たり７及び８に当接し、ラッチ具１０がラッチ用受け座１２に係合し、前記開き戸は開かないように維持される。非常時には、操作手段１１を操作してラッチ具１０を後退させてラッチ用受け座１２から外すことにより、図２の矢印Ａ方向に簡単に前記開き戸を開けることができる。このように、前記開き戸の施錠又は開錠を簡単に切り替えることができ、避難を迅速に行うことができる。
【００２５】
以上の説明においては、ラッチ具１０及び操作手段１１を開き戸側に配設する場合について説明したが、ラッチ具１０及び操作手段１１を固定側、すなわち戸当たり８又は側壁ＷＲに配設し、開き戸側にはラッチ用受け座１２を形成してもよい。
【００２６】
次に、本発明の実施の形態１に係る非常口付シャッターを、建物の火災時等における避難設備として使用する場合について説明する。前記開き戸が閉じた状態において、前記開き戸を構成する巻取装置２、左右の案内レール３及び４が当接する戸当たり（例えば図２の７及び８）を設け、巻取装置２、左右の案内レール３及び４と戸当たりとの間に可撓性のシール部材を配設することにより、巻取装置２、左右の案内レール３及び４と戸当たりとの間から避難路側への煙等の漏洩を抑制することができる。また、シャッターシート１と左右の案内レール３及び４との間は、図２のような構成を採用することにより、前記のとおりシャッターシート１の各端縁部１ｂそれぞれの帯状部材１ｃ、１ｃが、案内レール３（４）の対向傾斜壁３ｂ、３ｂ（４ｂ、４ｂ）の裏面に接しているため、シャッターシート１と左右の案内レール３及び４との間から避難路側への煙等の漏洩を抑制することができる。さらに、シャッターシート１が通過する巻取装置２下部の開口にも可撓性のシール部材を配設することにより開口部のシール化が可能である。さらにまた、床面ＦＬとウェイト部材６との間隙には可撓性のシール部材をウェイト部材６下部に配設することにより、床面ＦＬとウェイト部材６との間隙から避難路側への煙等の漏洩を抑制することができる。
【００２７】
シャッターシート１は、例えば耐熱性繊維からなる基布にフッ素樹脂等の耐熱性樹脂をコーティングして形成するとよい。また、巻取装置２、左右の案内レール３及び４と戸当たりとの間、巻取装置２下部の開口、並びに、床面ＦＬとウェイト部材６との間隙に配設する前記シール部材は、耐熱性の可撓性素材を用いて形成するとよい。例えば、前記シール部材としては、シリコンゴムやフッ素ゴム等の合成ゴムを用いることができる。
【００２８】
以上のとおり、本発明の実施の形態１に係る非常口付シャッターを建物の火災時等における避難設備として使用する場合において、煙等の漏洩を抑制することができ、且つ、本発明はスリット部開閉方式ではないため、風圧等がかかってもシャッターシートから煙等が避難路側へ漏洩することはない。
【００２９】
また、図２の開き戸の開閉において、手動で開き戸を開いた後に自動で開き戸を閉じることができる、住居用等に一般的に使用されているドアクローザを用いれば、避難者が操作手段１１を操作して図２の矢印Ａ方向に前記開き戸を開けて避難した後に前記開き戸を確実に閉じることができるため、本発明に係る非常口付シャッターにおいて、避難後の防火・防煙機能を確保することができる。あるいは、ドアクローザではなく、ヒンジ部材５を吊軸として、この吊軸をモータ等により回転させて開き戸を駆動する構成、又は、アーム等を介してモータ等により開き戸を駆動する構成としてもよい。
【００３０】
以上の説明においては、巻取装置２と一対の対向案内レール３及び４とにより三方枠を形成して、開き戸を構成する場合について説明したが、図１のシャッターシート１下部のウェイト部材６を芯材となる剛性を持つようにアルミニウム、鋼等により形成し、シャッターが閉じた状態で、芯材であるウェイト部材６と案内レール３及び４とをラッチ機構等により連結してもよい。この場合は、巻取装置２、一対の対向案内レール３及び４並びに前記芯材からなる開き戸の四方枠が形成されるため、さらに剛性が高く安定した開き戸の扉枠を構成することができる。
【００３１】
実施の形態２．
図３は、本発明の実施の形態２に係る非常口付シャッターの概念図であり、一対の対向案内レールに沿ってシャッターシートが昇降する構造の非常口付シャッターの例を示している。図３の（ａ）は正面図、（ｂ）は平面図であり、図において、実施の形態１の図１と同一符号は同一又は相当部分を示している。図３において、１０２は本発明の実施の形態２に係る非常口付シャッター、１３は分割芯材、１３ａは上側分割芯材、１３ｂは下側分割芯材、１４は下部芯材である。上側分割芯材１３ａ及び下側分割芯材１３ｂ並びに下部芯材１４は、芯材となる剛性を持つように、アルミニウム、鋼等の金属、又は、エンジニアリングプラスチック等により形成されている。また、上側分割芯材１３ａ及び下側分割芯材１３ｂは、シャッターシート１が閉じた状態で、通路Ｓの上部にて、略水平方向に分離可能に係合している。また、シャッターシート１の巻き取り・繰り出しを行う巻取装置２は天井内に固定されている。
【００３２】
図３において、シャッターシート１が閉じた状態で、下側分割心材１３ｂ、下側分割芯材１３ｂ下部のシャッターシート１及び一対の対向案内レール３及び４等がヒンジ部材５、５の略鉛直の回動軸を中心として回動し、開き戸として開閉する構成となっている。
【００３３】
非常時において、シャッターシート１が閉じている場合、避難者は、非常口付シャッター１０２の下側分割芯材１３ｂ及びその下部を図３（ｂ）の矢印Ａのように開いて、避難に必要なスペースを確保し、矢印Ｂの方向に避難する。このように、非常口付シャッター１０２の下側分割芯材１３ｂ及びその下部が開き戸として開閉するため、避難に十分な通路（避難路）Ｓを確保することができる。すなわち、例えばエレベーターの乗り場戸のような狭いスペースにおいても、有効開口に近い開口を持つ天井収納式の非常口付シャッターを設置することができる。また、略鉛直の回動軸を持つヒンジ部材５、５が該開き戸の重量を支持するため、避難者が重量を手で支える必要がなく軽い操作力で開閉操作を行うことができる。実施の形態１の構成と比較して、巻取装置２が回動しないため、前記開き戸の慣性モーメントが小さくなり、前記開き戸を開閉するための操作力をさらに低減することができる。
【００３４】
なお、一対の対向案内レールに沿ってスラットが昇降する非常口付シャッターにおいても、図３と同様の構成が採用できる。
【００３５】
以下において、本発明の実施の形態２の概念として示した図３の各部の構成について詳細に説明する。
【００３６】
図４は、分割芯材の動作説明図であり、シャッターシート１が下降してシャッターが閉じた状態を示しており、図３と同一符号は同一又は相当部分を示している。また、図４（ａ）は前記開き戸の閉時を、図４（ｂ）は前記開き度の開時を示しており、図において、２ａは巻取装置２に内蔵された巻取ローラー、７は戸当たりである。図４（ａ）のように、上側分割芯材１３ａと下側分割芯材１３ｂの係合時には分割芯材１３上下のシャッターシート１が一体となり、巻取ローラー２ａによるシャッターシート１の巻き取り・繰り出しが可能に構成されている。また、シャッターが閉じた状態で、図４（ｂ）のように、上側分割芯材１３ａと下側分割芯材１３ｂとは略水平方向に分離可能に形成されている。このような構成により、シャッターが閉じた状態で、図３（ｂ）の矢印Ａのように、下側分割芯材１３ｂ及びその下部を、ヒンジ部材５、５の略鉛直の回動軸を中心として回動させ、開き戸として開閉することができる。
【００３７】
また、図５は、巻取ローラー２ａにシャッターシート１を巻き取った状態を示す説明図である。上側分割芯材１３ａと下側分割芯材１３ｂとが係合した状態で、巻取ローラー２ａによりシャッターシート１を巻き取ると、巻取ローラー２ａには、シャッターシート１の巻き取り時に分割芯材１３が巻取ローラー２ａの外周面から突出しないように切り欠き部２ｂが形成されており、この切り欠き部２ｂ上に分割芯材１３が収容されるようにシャッターシート１が巻き取られる。このように、分割芯材１３の厚みがシャッターシート１の巻き取り・繰り出しに影響しないため、巻取ローラー２ａによるシャッターシート１の巻き取り・繰り出しの信頼性が向上する。なお、切り欠き部２ｂの形状は、図５のような平面形状に限定されず、シャッターシート１の巻き取り時に分割芯材１３が巻取ローラー２ａの外周面から突出しない形状であればよい。
【００３８】
図６は、一対の対向案内レール及びシャッターシートの構造並びに開き戸の開閉機構の例を示す断面図であり、図６（ａ）は水平断面図、図６（ｂ）は部分縦断面図である。また、実施の形態１の図２と同一符号は同一又は相当部分を示しており、シャッターシート１の構成及びシャッターシートと対向案内レール３、４との関係並びに開閉機構の動作は実施の形態１と同様である。図６において、１４はシャッターシート１の下部に設けられた下部芯材、１５は水平方向に進出付勢されたラッチ具、１６はラッチ用受け座、１７はラッチ解除ピン、１８は鉛直方向下向きの凸部、１９は凸部１８が嵌合する嵌合穴、２０は下部芯材１４の下部に取り付けられたシール部材であり、ラッチ具１６及び凸部１８は下部芯材１４に形成されており、ラッチ用受け座１６及び嵌合穴１８は案内レール３及び４下部に形成されている。また、ラッチ具１５及びラッチ用受け座１６がラッチ機構を構成している。
【００３９】
図７は、図６（ｂ）のＸ−Ｘ断面図であり、ラッチ具１５、ラッチ用受け座１６、凸部１８、嵌合穴１９周りの構成を示している。ラッチの解除は、図６のようなラッチ解除ピン１７により、ラッチ用受け座１６の孔からラッチ具１５を押してラッチ具１５を後退させることにより行うことができる。
【００４０】
図６及び図７において、巻取装置によりシャッターシート１を繰り出し、シャッターシート１が下降してシャッターが閉じた状態で、水平方向に進出付勢されたラッチ具１５はラッチ用受け座１６に係合する。また、凸部１８は嵌合穴１９に嵌合する。このような構成により、案内レール３及び４と下部芯材１４は連結され、案内レール３、下部芯材１４及び案内レール４からなる開き戸の三方枠が形成され、剛性が高く安定した開き戸の扉枠を構成することができる。
【００４１】
また、シャッターが閉じた状態で、案内レール３及び４と下側分割芯材１３ｂとをラッチ機構により連結してもよい。この場合は、案内レール３、下側分割芯材１３ｂ及び案内レール４からなる開き戸の三方枠が形成され、剛性が高く安定した開き戸の扉枠を構成することができる。
【００４２】
さらに、シャッターが閉じた状態で、案内レール３及び４と下部芯材１４、並びに、案内レール３及び４と下側分割芯材１３ｂとをラッチ機構により連結してもよい。この場合は、下側分割芯材１３ｂ、案内レール３、下部芯材１４及び案内レール４からなる開き戸の四方枠が形成され、さらに剛性が高く安定した開き戸の扉枠を構成することができる。
【００４３】
本発明の実施の形態２に係る非常口付シャッターを建物の火災時等における避難設備として使用する場合の構成は、実施の形態１の構成と同様であり、図６における下部芯材１４の下部に取り付けられたシール部材２０が、実施の形態１における床面ＦＬとウェイト部材６との間隙に配設された可撓性のシール部材に相当する。また、図３〜図５の上側分割芯材１３ａと下側分割芯材１３ｂの係合面にも適宜の厚さの可撓性のシール部材を配設することにより、煙等の漏洩を抑制することができる。
【００４４】
以上の説明においては、一対の対向案内レール３及び４を、天井面ＣＬ、床面ＦＬ、側壁ＷＬ及び側壁ＷＲからなる通路開口の左右端近傍（側壁ＷＬ、ＷＲの壁端近傍）に配設する場合について説明したが、本発明はこのような構成に限定されるものではない。例えば、パネル連結等により仕切られた空間の仕切り壁の適宜の位置に形成された、出入り口開口の左右端近傍に一対の対向案内レール３及び４を配設し、本願発明の非常口付シャッターを設置することが可能であり、設置の自由度の高い非常口付シャッターを得ることができる。
【００４５】
【発明の効果】
本発明の請求項１に係る非常口付シャッターは、通路又は出入り口開口の左右端近傍に略垂直に配設された一対の対向案内レールと、前記一対の対向案内レールに左右端縁部を係合するスラット又はシャッターシートと、前記一対の対向案内レールの上方に配設されると共に前記一対の対向案内レールと固定され、前記スラット又はシャッターシートの巻き取り・繰り出しを行い、前記スラット又はシャッターシートを前記一対の対向案内レールに沿って昇降させる巻取ローラーを内蔵する巻取装置と、前記一対の対向案内レールのいずれか一方及びその上方の巻取装置の少なくともどちらかとその近傍の前記開口端との間に配設された、略鉛直の回動軸を有するヒンジ部材とを備え、前記一対の対向案内レール、前記スラット又はシャッターシート及び前記巻取装置からなる開き戸を構成したので、軽い操作力で開閉操作が行えると共に避難に十分な非常口通路を確保できるという効果を奏する。
【００４６】
また、本発明の請求項２に係る非常口付シャッターは、通路又は出入り口開口の左右端近傍に略垂直に配設された一対の対向案内レールと、前記一対の対向案内レールに左右端縁部を係合するスラット又はシャッターシートと、前記一対の対向案内レールの上方に配設され、前記スラット又はシャッターシートの巻き取り・繰り出しを行い、前記スラット又はシャッターシートを前記一対の対向案内レールに沿って昇降させる巻取ローラーを内蔵する巻取装置と、前記スラット又はシャッターシートが閉じた状態で、前記通路又は出入り口開口の上部にて、前記スラット又はシャッターシートを略水平方向に分離可能に係合する上側分割芯材及び下側分割芯材と、前記一対の対向案内レールのいずれか一方とその近傍の前記開口端との間に配設された、略鉛直の回動軸を有するヒンジ部材とを備え、前記一対の対向案内レール、前記下側分割芯材及び前記スラット又はシャッターシートの前記下側分割芯材の下部分からなる開き戸を構成したので、さらに軽い操作力で開閉操作が行えると共に避難に十分な非常口通路を確保できるという効果を奏する。
【００４７】
また、本発明の請求項３に係る非常口付シャッターは、請求項１又は２に係る非常口付シャッター構成に加え、前記開き戸の閉時にラッチが動作して前記開き戸の閉状態を維持するラッチ機構と、非常時に前記ラッチを解除して前記開き戸を開く操作手段とを備えたので、請求項１又は２に係る発明の効果に加え、前記開き戸の施錠又は開錠を簡単に切り替えることができ、避難を迅速に行うことができるという効果を奏する。
【００４８】
また、本発明の請求項４に係る非常口付シャッターは、請求項１又は２に係る非常口付シャッター構成に加え、前記スラット又はシャッターシートの下部に芯材を設け、前記スラット又はシャッターシートが閉じた状態で、前記一対の対向案内レールと前記芯材とを連結するラッチ機構を備えたので、請求項１又は２に係る発明の効果に加え、剛性が高く安定した開き戸の扉枠を構成することができるという効果を奏する。
【００４９】
また、本発明の請求項５に係る非常口付シャッターは、請求項２に係る非常口付シャッター構成に加え、前記スラット又はシャッターシートが閉じた状態で、前記一対の対向案内レールと前記下側分割芯材とを連結するラッチ機構を備えたので、請求項２に係る発明の効果に加え、剛性が高く安定した開き戸の扉枠を構成することができるという効果を奏する。
【００５０】
また、本発明の請求項６に係る非常口付シャッターは、請求項２に係る非常口付シャッター構成に加え、前記シャッターシートの巻き取り時に前記上側分割芯材及び下側分割芯材が前記巻取ローラーの外周面から突出しないように、前記巻取ローラーに切り欠き部を形成したので、請求項２に係る発明の効果に加え、前記巻取ローラーによる前記シャッターシートの巻き取り・繰り出しの信頼性を向上することができるという効果を奏する。
【００５１】
また、本発明の請求項７に係る非常口付シャッターは、請求項１〜６に係る非常口付シャッター構成に加え、前記開き戸が閉じた状態で当接する戸当たりを備え、前記開き戸及び戸当たり間に可撓性のシール部材を配設したので、請求項１〜６に係る発明の効果に加え、避難路側への煙等の漏洩を抑制することができ、当該シャッターの遮炎・遮煙性能を向上することができるという効果を奏する。
【図面の簡単な説明】
【図１】本発明の実施の形態１に係る非常口付シャッターの概念図である。
【図２】一対の対向案内レール及びシャッターシートの構造並びに開き戸の開閉機構の例を示す水平断面図である。
【図３】本発明の実施の形態２に係る非常口付シャッターの概念図である。
【図４】分割芯材の動作説明図である。
【図５】巻取ローラーにシャッターシートを巻き取った状態を示す説明図である。
【図６】一対の対向案内レール及びシャッターシートの構造並びに開き戸の開閉機構の例を示す断面図である。
【図７】図６のＸ−Ｘ断面図である。
【符号の説明】
１    シャッターシート
２    巻取装置
２ａ  巻取ローラー
２ｂ  切り欠き部
３    案内レール
４    案内レール
５    ヒンジ部材
７    戸当たり
８    戸当たり
９    開閉機構
１０    ラッチ具
１１    操作手段
１２    ラッチ用受け座
１３    分割芯材
１３ａ  上側分割芯材
１３ｂ  下側分割芯材
１４    下部芯材
１５    ラッチ具
１６    ラッチ用受け座
１７    ラッチ解除ピン
２０    シール部材
１０１  非常口付シャッター
１０２  非常口付シャッター
ＷＬ    側壁
ＷＲ    側壁
ＣＬ    天井面
ＦＬ    床面
Ｓ      通路（避難路）
【図１】
2004190322.tif 000003
【図２】
2004190322.tif 000004
【図３】
2004190322.tif 000005
【図４】
2004190322.tif 000006
【図５】
2004190322.tif 000007
【図６】
2004190322.tif 000008
【図７】
2004190322.tif 000009